(57)【要約】【課題】本発明は改善型のプリンター又はコピー設備を開示した。【解決手段】主台体と前記主台体の底部に固定的に設置される腕木を含み、前記主台体に容溝が設置され、前記容溝の内頂壁に第一キャビティが設置され、前記第一キャビティの左側の前記主台体に第一滑り接続筐体が設置され、前記容溝の内底壁に第一案内接続溝が設置され、前記第一案内接続溝に第一案内接続ブロックが摺動可能なように係合して接続され、前記第一案内接続ブロックに左右に伸びて設置される第一ねじ接続レバーがねじで係合し接続され、前記主台体の右側端面に前記容溝に挿し込む持上箱が摺動可能なように係合して接続され、前記持上箱の底部の左側縁部に近づく所が前記第一案内接続ブロックの底部端面と固定的に係合し接続し、前記容溝の左側内壁に第二案内接続溝が設置され、前記第二案内接続溝の左側内壁に上に伸びて設置される第二滑り接続筐体が設置される。【選択図】図1
2019181912.tif 000002
【特許請求の範囲】
【請求項１】
改善型のプリンター又はコピー設備であって、主台体と前記主台体の底部に固定的に設置される腕木を含み、前記主台体に容溝が設置され、前記容溝の内頂壁に第一キャビティが設置され、前記第一キャビティの左側の前記主台体に第一滑り接続筐体が設置され、前記容溝の内底壁に第一案内接続溝が設置され、前記第一案内接続溝に第一案内接続ブロックが摺動可能なように係合して接続され、前記第一案内接続ブロックに左右に伸びて設置される第一ねじ接続レバーがねじで係合し接続され、前記主台体の右側端面に前記容溝に挿し込む持上箱が摺動可能なように係合して接続され、前記持上箱の底部の左側縁部に近づく所が前記第一案内接続ブロックの底部端面と固定的に係合し接続し、前記容溝の左側内壁に第二案内接続溝が設置され、前記第二案内接続溝の左側内壁に上に伸びて設置される第二滑り接続筐体が設置され、前記第二滑り接続筐体の頂部延長末端が前記第一滑り接続筐体の底部端と連結するように設置し、前記第二案内接続溝に第二案内接続ブロックが摺動可能なように係合して接続され、前記第二案内接続ブロックの右側末端に前記容溝に挿し込む斜辺ブロックが固定的に設置され、前記第二案内接続ブロックに上下に伸びて設置される案内接続レバーが摺動可能なように係合して接続され、前記第二案内接続ブロックの上側の前記案内接続レバーの外表面に圧縮ばねが回転可能なように設置され、前記第二滑り接続筐体に第一滑り接続ブロックが摺動可能なように係合して接続され、前記第一滑り接続ブロックの右側端面の底部位置に近づく所が前記第二案内接続ブロックの左端末端と固定的に係合し接続し、前記第一滑り接続ブロックの頂部に斜辺部が固定的に設置され、前記第一滑り接続筐体に第二滑り接続ブロックが摺動可能なように係合して接続され、前記第二滑り接続ブロックの左側末端と前記第一滑り接続筐体の左側内壁の間に引張スプリングが固定的に設置され、前記第二滑り接続ブロックの底部端面に前記斜辺部と押圧し摺動可能なように係合して接続される斜辺溝が設置され、前記第二滑り接続ブロックの右側端面に第一内スプライン柱が回転可能なように係合し接続され、前記第一内スプライン柱の左側末端に第一電気回転機械が動力が伝達可能なように接続され、前記第一電気回転機械の外表面が前記第一内スプライン柱の左側の前記第二滑り接続ブロックに固定的に設置され、前記第一滑り接続筐体と前記第一キャビティの間の部分に左右に伸びて設置される第一交換軸が回転可能なように係合し接続され、前記第一交換軸の左側末端に前記第一滑り接続筐体に挿し込む第一外スプライン柱が固定的に設置され、前記第一交換軸の右側末端に前記第一キャビティに挿し込む接固台が固定的に設置され、前記接固台の底部にドクターブレード部品が固定的に設置され、主台体の右側端面に照射装置が設置され、前記第一ねじ接続レバーの左側延長末端が第二電気回転機械と動力が伝達可能なように係合し接続され、前記第二電気回転機械の外表面は前記第一案内接続溝の左側内壁に固定的に設置され、前記第一ねじ接続レバーの右側末端が前記第一案内接続溝の右側内壁と回転可能なように係合し接続され、前記案内接続レバーの上下両側の延長末端がそれぞれ前記第二案内接続溝の上下内壁と固定的に係合し接続され、前記持上箱の左側端面に前記斜辺ブロックと押圧しスライド可能なように係合し接続される斜面筐体が設置され、前記持上箱の頂部端面に取付筐体が設置され、前記取付筐体の下側の前記持上箱に伝導筐体が設置され、前記取付筐体に保存板が摺動可能なように係合して接続され、前記保存板の底部端面に下に延びて設置される管筒が固定的に設置され、前記管筒に下に延びて設置される第二ねじ接続レバーがねじで係合し接続され、前記伝導筐体の内頂壁に第一円錐形プーリーが回転可能なように係合し接続され、前記第二ねじ接続レバーの底部延長末端が前記第一円錐形プーリーの頂部末端と動力が伝達可能なように係合し接続され、前記伝導筐体の左側の前記持上箱に左右に延びて設置される第二交換軸が回転可能なように係合し接続され、前記第二交換軸の左側末端に前記持上箱の左側端面外に伸びる第二外スプライン柱が設置され、前記第二交換軸の右側末端に前記伝導筐体に挿し込む前記第一円錐形プーリーと動力が伝達可能なように係合し接続される第二円錐形プーリーが固定的に設置され、前記第二外スプライン柱が対応する前記容溝の左側内壁に第二内スプライン柱が回転可能なように係合し接続され、前記第二内スプライン柱の左側末端が第三電気回転機械と動力が伝達可能なように係合し接続し、前記第三電気回転機械の外表面が前記第二内スプライン柱の左側の前記持上箱に固定的に設置され、前記照射装置は前記主台体の右側端面の上側に固定的に取り付けられるランプシェードを含み、前記ランプシェードの右側端面に省エネランプが設置されることを特徴とする改善型のプリンター又はコピー設備。
【発明の詳細な説明】
【技術分野】
【０００１】
本発明はオフィス設備分野に関し、具体的には改善型のプリンター又はコピー設備に関する。
【背景技術】
【０００２】
プリンターまたはコピー機を使用する時に紙を保存する紙入れを使用する必要があり、普通の紙入れが調整でき、違うタイプの紙を使うことができ、便利に印刷するためいくつかのプリンターが多くの紙入れを配備し、異なる紙入れを取り替えることもでき、現在の紙入れが人力で開き、引き出す過程に紙入れが壊れやすく、紙入れの中の空間の大きさが調整できなく、ドクターブレードの角度も変わらなく、紙が詰まりやすい。
【先行技術文献】
【特許文献】
【０００３】
【特許文献１】中国特許出願公開第102129359号明細書
【発明の概要】
【発明が解決しようとする課題】
【０００４】
本発明は解決する必要な技術問題に対して改善型のプリンター又はコピー設備を提供し、それは現在の技術問題を解決できる。
【課題を解決するための手段】
【０００５】
本発明の改善型のプリンター又はコピー設備は主台体と前記主台体の底部に固定的に設置される腕木を含み、前記主台体に容溝が設置され、前記容溝の内頂壁に第一キャビティが設置され、前記第一キャビティの左側の前記主台体に第一滑り接続筐体が設置され、前記容溝の内底壁に第一案内接続溝が設置され、前記第一案内接続溝に第一案内接続ブロックが摺動可能なように係合して接続され、前記第一案内接続ブロックに左右に伸びて設置される第一ねじ接続レバーがねじで係合し接続され、前記主台体の右側端面に前記容溝に挿し込む持上箱が摺動可能なように係合して接続され、前記持上箱の底部の左側縁部に近づく所が前記第一案内接続ブロックの底部端面と固定的に係合し接続し、前記容溝の左側内壁に第二案内接続溝が設置され、前記第二案内接続溝の左側内壁に上に伸びて設置される第二滑り接続筐体が設置され、前記第二滑り接続筐体の頂部延長末端が前記第一滑り接続筐体の底部端と連結するように設置し、前記第二案内接続溝に第二案内接続ブロックが摺動可能なように係合して接続され、前記第二案内接続ブロックの右側末端に前記容溝に挿し込む斜辺ブロックが固定的に設置され、前記第二案内接続ブロックに上下に伸びて設置される案内接続レバーが摺動可能なように係合して接続され、前記第二案内接続ブロックの上側の前記案内接続レバーの外表面に圧縮ばねが回転可能なように設置され、前記第二滑り接続筐体に第一滑り接続ブロックが摺動可能なように係合して接続され、前記第一滑り接続ブロックの右側端面の底部位置に近づく所が前記第二案内接続ブロックの左端末端と固定的に係合し接続し、前記第一滑り接続ブロックの頂部に斜辺部が固定的に設置され、前記第一滑り接続筐体に第二滑り接続ブロックが摺動可能なように係合して接続され、前記第二滑り接続ブロックの左側末端と前記第一滑り接続筐体の左側内壁の間に引張スプリングが固定的に設置され、前記第二滑り接続ブロックの底部端面に前記斜辺部と押圧し摺動可能なように係合して接続される斜辺溝が設置され、前記第二滑り接続ブロックの右側端面に第一内スプライン柱が回転可能なように係合し接続され、前記第一内スプライン柱の左側末端に第一電気回転機械が動力が伝達可能なように接続され、前記第一電気回転機械の外表面が前記第一内スプライン柱の左側の前記第二滑り接続ブロックに固定的に設置され、前記第一滑り接続筐体と前記第一キャビティの間の部分に左右に伸びて設置される第一交換軸が回転可能なように係合し接続され、前記第一交換軸の左側末端に前記第一滑り接続筐体に挿し込む第一外スプライン柱が固定的に設置され、前記第一交換軸の右側末端に前記第一キャビティに挿し込む接固台が固定的に設置され、前記接固台の底部にドクターブレード部品が固定的に設置され、主台体の右側端面に照射装置が設置される。
【０００６】
前記第一ねじ接続レバーの左側延長末端が第二電気回転機械と動力が伝達可能なように係合し接続され、前記第二電気回転機械の外表面は前記第一案内接続溝の左側内壁に固定的に設置され、前記第一ねじ接続レバーの右側末端が前記第一案内接続溝の右側内壁と回転可能なように係合し接続され、前記案内接続レバーの上下両側の延長末端がそれぞれ前記第二案内接続溝の上下内壁と固定的に係合し接続される。
【０００７】
他の技術方案として前記持上箱の左側端面に前記斜辺ブロックと押圧しスライド可能なように係合し接続される斜面筐体が設置され、前記持上箱の頂部端面に取付筐体が設置され、前記取付筐体の下側の前記持上箱に伝導筐体が設置され、前記取付筐体に保存板が摺動可能なように係合して接続され、前記保存板の底部端面に下に延びて設置される管筒が固定的に設置され、前記管筒に下に延びて設置される第二ねじ接続レバーがねじで係合し接続され、前記伝導筐体の内頂壁に第一円錐形プーリーが回転可能なように係合し接続され、前記第二ねじ接続レバーの底部延長末端が前記第一円錐形プーリーの頂部末端と動力が伝達可能なように係合し接続され、前記伝導筐体の左側の前記持上箱に左右に延びて設置される第二交換軸が回転可能なように係合し接続され、前記第二交換軸の左側末端に前記持上箱の左側端面外に伸びる第二外スプライン柱が設置され、前記第二交換軸の右側末端に前記伝導筐体に挿し込む前記第一円錐形プーリーと動力が伝達可能なように係合し接続される第二円錐形プーリーが固定的に設置され、前記第二外スプライン柱が対応する前記容溝の左側内壁に第二内スプライン柱が回転可能なように係合し接続され、前記第二内スプライン柱の左側末端が第三電気回転機械と動力が伝達可能なように係合し接続し、前記第三電気回転機械の外表面が前記第二内スプライン柱の左側の前記持上箱に固定的に設置される。
【０００８】
他の技術方案として前記照射装置が前記主台体の右側端面の上側に固定的に取り付けられるランプシェードを含み、前記ランプシェードの右側端面に省エネランプが設置される。
【０００９】
本発明の有益な効果は、本発明の構造が簡単で、操作が便利で、使用する必要な紙を取付筐体の保存板の頂部に置いて、次に第二電気回転機械を制御し第一ねじ接続レバーと連動して回転し、第一ねじ接続レバーが第一案内接続ブロックと連動して第一案内接続溝の左側方向にスライドし、同時に第一案内接続ブロックが持上箱と連動して容溝に挿し込み、第一案内接続ブロックが第一案内接続溝の一番左側位置にスライドする時、第一案内接続ブロックが持上箱と連動して完全に容溝に挿し込み、同時に、斜辺筐体が斜辺ブロックと押圧しスライド可能なように係合し、同時に持上箱の左側端の第二外スプライン柱が第二内スプライン柱と完全に動力が伝達可能なように係合し接続し、斜辺ブロックが第二案内接続ブロックと連動して圧縮ばねの押圧力を克服し第二案内接続溝の一番頂部位置にスライドし、同時に斜辺ブロックが斜辺筐体の一番頂部位置にスライドし、この時に第二案内接続ブロックが第一滑り接続ブロックの頂部の斜辺部と斜辺溝と連動して押圧し摺動可能なように係合して作業し、斜辺部が最大程度に第二滑り接続ブロックと連動して伸張スプリングの伸張力を克服し第一滑り接続筐体の一番右側位置にスライドし、同時に第一内スプライン柱と第一外スプライン柱が完全に動力が伝達可能なように係合し接続し、第二電気回転機械が第二内スプライン柱を制御し第二外スプライン柱と第二交換軸と第二円錐形プーリーと連動して回転し、第二円錐形プーリーが第一円錐形プーリーと第二ねじ接続レバーと連動して回転し、第二ねじ接続レバーが管筒の頂部の保存板と連動して上下昇降スライド作業を実現し、第一電気回転機械が第一内スプライン柱と第一外スプライン柱と第一交換軸を制御し回転し、第一交換軸が接固台の底部のドクターブレード部品と連動して角度調整作業を行い、これにより使用の便利性を高めて、紙が詰まることを防ぎ、自動制御昇降作業を実現でき、紙の調整作業を満足でき、仕事効率を大きく高める。
【発明の効果】
【００１０】
本発明の有益な効果は、本発明の構造が簡単で、操作が便利で、使用する必要な紙を取付筐体の保存板の頂部に置いて、次に第二電気回転機械を制御し第一ねじ接続レバーと連動して回転し、第一ねじ接続レバーが第一案内接続ブロックと連動して第一案内接続溝の左側方向にスライドし、同時に第一案内接続ブロックが持上箱と連動して容溝に挿し込み、第一案内接続ブロックが第一案内接続溝の一番左側位置にスライドする時、第一案内接続ブロックが持上箱と連動して完全に容溝に挿し込み、同時に、斜辺筐体が斜辺ブロックと押圧しスライド可能なように係合し、同時に持上箱の左側端の第二外スプライン柱が第二内スプライン柱と完全に動力が伝達可能なように係合し接続し、斜辺ブロックが第二案内接続ブロックと連動して圧縮ばねの押圧力を克服し第二案内接続溝の一番頂部位置にスライドし、同時に斜辺ブロックが斜辺筐体の一番頂部位置にスライドし、この時に第二案内接続ブロックが第一滑り接続ブロックの頂部の斜辺部と斜辺溝と連動して押圧し摺動可能なように係合して作業し、斜辺部が最大程度に第二滑り接続ブロックと連動して伸張スプリングの伸張力を克服し第一滑り接続筐体の一番右側位置にスライドし、同時に第一内スプライン柱と第一外スプライン柱が完全に動力が伝達可能なように係合し接続し、第二電気回転機械が第二内スプライン柱を制御し第二外スプライン柱と第二交換軸と第二円錐形プーリーと連動して回転し、第二円錐形プーリーが第一円錐形プーリーと第二ねじ接続レバーと連動して回転し、第二ねじ接続レバーが管筒の頂部の保存板と連動して上下昇降スライド作業を実現し、第一電気回転機械が第一内スプライン柱と第一外スプライン柱と第一交換軸を制御し回転し、第一交換軸が接固台の底部のドクターブレード部品と連動して角度調整作業を行い、これにより使用の便利性を高めて、紙が詰まることを防ぎ、自動制御昇降作業を実現でき、紙の調整作業を満足でき、仕事効率を大きく高める。
【図面の簡単な説明】
【００１１】
【図１】図１は本発明の改善型のプリンター又はコピー設備の外部全体構造概略図である。
【図２】図２は本発明の台体の内部構造概略図である。
【図３】図３は本発明の接固台の構造概略図である。
【発明を実施するための形態】
【００１２】
下記に図1〜3を交え、本発明について詳しく説明する。
【００１３】
図1〜3を参照し、本発明の実施例の改善型のプリンター又はコピー設備は主台体6と前記主台体6の底部に固定的に設置される腕木7を含み、前記主台体6に容溝61が設置され、前記容溝61の内頂壁に第一キャビティ62が設置され、前記第一キャビティ62の左側の前記主台体6に第一滑り接続筐体63が設置され、前記容溝61の内底壁に第一案内接続溝611が設置され、前記第一案内接続溝611に第一案内接続ブロック613が摺動可能なように係合して接続され、前記第一案内接続ブロック613に左右に伸びて設置される第一ねじ接続レバー612がねじで係合し接続され、前記主台体6の右側端面に前記容溝61に挿し込む持上箱5が摺動可能なように係合して接続され、前記持上箱5の底部の左側縁部に近づく所が前記第一案内接続ブロック613の底部端面と固定的に係合し接続し、前記容溝61の左側内壁に第二案内接続溝64が設置され、前記第二案内接続溝64の左側内壁に上に伸びて設置される第二滑り接続筐体65が設置され、前記第二滑り接続筐体65の頂部延長末端が前記第一滑り接続筐体63の底部端と連結するように設置し、前記第二案内接続溝64に第二案内接続ブロック641が摺動可能なように係合して接続され、前記第二案内接続ブロック641の右側末端に前記容溝61に挿し込む斜辺ブロック642が固定的に設置され、前記第二案内接続ブロック641に上下に伸びて設置される案内接続レバー643が摺動可能なように係合して接続され、前記第二案内接続ブロック641の上側の前記案内接続レバー643の外表面に圧縮ばね644が回転可能なように設置され、前記第二滑り接続筐体65に第一滑り接続ブロック651が摺動可能なように係合して接続され、前記第一滑り接続ブロック651の右側端面の底部位置に近づく所が前記第二案内接続ブロック641の左端末端と固定的に係合し接続し、前記第一滑り接続ブロック651の頂部に斜辺部652が固定的に設置され、前記第一滑り接続筐体63に第二滑り接続ブロック631が摺動可能なように係合して接続され、前記第二滑り接続ブロック631の左側末端と前記第一滑り接続筐体63の左側内壁の間に引張スプリング633が固定的に設置され、前記第二滑り接続ブロック631の底部端面に前記斜辺部652と押圧し摺動可能なように係合して接続される斜辺溝632が設置され、前記第二滑り接続ブロック631の右側端面に第一内スプライン柱635が回転可能なように係合し接続され、前記第一内スプライン柱635の左側末端に第一電気回転機械634が動力が伝達可能なように接続され、前記第一電気回転機械634の外表面が前記第一内スプライン柱635の左側の前記第二滑り接続ブロック631に固定的に設置され、前記第一滑り接続筐体63と前記第一キャビティ62の間の部分に左右に伸びて設置される第一交換軸636が回転可能なように係合し接続され、前記第一交換軸636の左側末端に前記第一滑り接続筐体63に挿し込む第一外スプライン柱637が固定的に設置され、前記第一交換軸636の右側末端に前記第一キャビティ62に挿し込む接固台621が固定的に設置され、前記接固台621の底部にドクターブレード部品622が固定的に設置され、主台体6の右側端面に照射装置が設置される。。
【００１４】
好ましくは前記第一ねじ接続レバー612の左側延長末端が第二電気回転機械614と動力が伝達可能なように係合し接続され、前記第二電気回転機械614の外表面は前記第一案内接続溝611の左側内壁に固定的に設置され、前記第一ねじ接続レバー612の右側末端が前記第一案内接続溝611の右側内壁と回転可能なように係合し接続され、前記案内接続レバー643の上下両側の延長末端がそれぞれ前記第二案内接続溝64の上下内壁と固定的に係合し接続され、これにより本装置の運行安定性を高める。
【００１５】
好ましくは前記持上箱5の左側端面に前記斜辺ブロック642と押圧しスライド可能なように係合し接続される斜面筐体52が設置され、前記持上箱5の頂部端面に取付筐体51が設置され、前記取付筐体51の下側の前記持上箱5に伝導筐体53が設置され、前記取付筐体51に保存板511が摺動可能なように係合して接続され、前記保存板511の底部端面に下に延びて設置される管筒512が固定的に設置され、前記管筒512に下に延びて設置される第二ねじ接続レバー513がねじで係合し接続され、前記伝導筐体53の内頂壁に第一円錐形プーリー531が回転可能なように係合し接続され、前記第二ねじ接続レバー513の底部延長末端が前記第一円錐形プーリー531の頂部末端と動力が伝達可能なように係合し接続され、前記伝導筐体53の左側の前記持上箱5に左右に延びて設置される第二交換軸533が回転可能なように係合し接続され、前記第二交換軸533の左側末端に前記持上箱5の左側端面外に伸びる第二外スプライン柱634が設置され、前記第二交換軸533の右側末端に前記伝導筐体53に挿し込む前記第一円錐形プーリー531と動力が伝達可能なように係合し接続される第二円錐形プーリー532が固定的に設置され、前記第二外スプライン柱634が対応する前記容溝61の左側内壁に第二内スプライン柱615が回転可能なように係合し接続され、前記第二内スプライン柱615の左側末端が第三電気回転機械614と動力が伝達可能なように係合し接続し、前記第三電気回転機械614の外表面が前記第二内スプライン柱615の左側の前記持上箱5に固定的に設置され、これにより自動的に保存板511の昇降作業を制御し、紙入れの作業需要を満足し、仕事の効率を大きく高める。
【００１６】
好ましくは前記照射装置が前記主台体6の右側端面の上側に固定的に取り付けられるランプシェード601を含み、前記ランプシェード601の右側端面に省エネランプ602が設置され、これにより照明効果を提供する。
【００１７】
初期状態の時に、持上箱5の右側延長末端が最大程度に主台体6の右側端面の外に伸びて、この時に持上箱5の頂部端面の取付筐体51が完全に主台体6の右側端面に伸びて、同時に第一案内接続ブロック613が第一案内接続溝611の一番右側の位置に位置し、この時に第二案内接続ブロック641が圧縮ばね644の押圧力のもとで第二案内接続溝64の一番底部位置にスライドし、同時に第二案内接続ブロック641が第一滑り接続ブロック651と連動して最大程度に第二滑り接続筐体65の一番底部位置にスライドし、この時に第二案内接続ブロック641が斜辺部652と連動して第二滑り接続筐体65に完全に挿し込んで、同時に第二滑り接続ブロック631が伸張スプリング633の伸張力のもとで最大程度に第一滑り接続筐体63の左側位置に移動し、この時に第二滑り接続ブロック631が第一内スプライン柱635と連動して最大程度に第一外スプライン柱637と離れる。
【００１８】
使用する時に、使用する必要な紙を取付筐体51の保存板511の頂部に置いて、次に第二電気回転機械614を制御し第一ねじ接続レバー612と連動して回転し、第一ねじ接続レバー612が第一案内接続ブロック613と連動して第一案内接続溝611の左側方向にスライドし、同時に第一案内接続ブロック613が持上箱5と連動して容溝61に挿し込み、第一案内接続ブロック613が第一案内接続溝611の一番左側位置にスライドする時、第一案内接続ブロック613が持上箱5と連動して完全に容溝61に挿し込み、同時に、斜辺筐体52が斜辺ブロック642と押圧しスライド可能なように係合し、同時に持上箱5の左側端の第二外スプライン柱534が第二内スプライン柱615と完全に動力が伝達可能なように係合し接続し、斜辺ブロック642が第二案内接続ブロック641と連動して圧縮ばね644の押圧力を克服し第二案内接続溝64の一番頂部位置にスライドし、同時に斜辺ブロック642が斜辺筐体52の一番頂部位置にスライドし、この時に第二案内接続ブロック641が第一滑り接続ブロック651の頂部の斜辺部652と斜辺溝632と連動して押圧し摺動可能なように係合して作業し、斜辺部652が最大程度に第二滑り接続ブロック631と連動して伸張スプリング633の伸張力を克服し第一滑り接続筐体63の一番右側位置にスライドし、同時に第一内スプライン柱635と第一外スプライン柱637が完全に動力が伝達可能なように係合し接続し、第二電気回転機械614が第二内スプライン柱615を制御し第二外スプライン柱534と第二交換軸533と第二円錐形プーリー532と連動して回転し、第二円錐形プーリー532が第一円錐形プーリー531と第二ねじ接続レバー513と連動して回転し、第二ねじ接続レバー513が管筒512の頂部の保存板511と連動して上下昇降スライド作業を実現し、第一電気回転機械634が第一内スプライン柱635と第一外スプライン柱637と第一交換軸636を制御し回転し、第一交換軸636が接固台621の底部のドクターブレード部品622と連動して角度調整作業を行う。
【００１９】
本発明の有益な効果は、本発明の構造が簡単で、操作が便利で、使用する必要な紙を取付筐体の保存板の頂部に置いて、次に第二電気回転機械を制御し第一ねじ接続レバーと連動して回転し、第一ねじ接続レバーが第一案内接続ブロックと連動して第一案内接続溝の左側方向にスライドし、同時に第一案内接続ブロックが持上箱と連動して容溝に挿し込み、第一案内接続ブロックが第一案内接続溝の一番左側位置にスライドする時、第一案内接続ブロックが持上箱と連動して完全に容溝に挿し込み、同時に、斜辺筐体が斜辺ブロックと押圧しスライド可能なように係合し、同時に持上箱の左側端の第二外スプライン柱が第二内スプライン柱と完全に動力が伝達可能なように係合し接続し、斜辺ブロックが第二案内接続ブロックと連動して圧縮ばねの押圧力を克服し第二案内接続溝の一番頂部位置にスライドし、同時に斜辺ブロックが斜辺筐体の一番頂部位置にスライドし、この時に第二案内接続ブロックが第一滑り接続ブロックの頂部の斜辺部と斜辺溝と連動して押圧し摺動可能なように係合して作業し、斜辺部が最大程度に第二滑り接続ブロックと連動して伸張スプリングの伸張力を克服し第一滑り接続筐体の一番右側位置にスライドし、同時に第一内スプライン柱と第一外スプライン柱が完全に動力が伝達可能なように係合し接続し、第二電気回転機械が第二内スプライン柱を制御し第二外スプライン柱と第二交換軸と第二円錐形プーリーと連動して回転し、第二円錐形プーリーが第一円錐形プーリーと第二ねじ接続レバーと連動して回転し、第二ねじ接続レバーが管筒の頂部の保存板と連動して上下昇降スライド作業を実現し、第一電気回転機械が第一内スプライン柱と第一外スプライン柱と第一交換軸を制御し回転し、第一交換軸が接固台の底部のドクターブレード部品と連動して角度調整作業を行い、これにより使用の便利性を高めて、紙が詰まることを防ぎ、自動制御昇降作業を実現でき、紙の調整作業を満足でき、仕事効率を大きく高める。
【００２０】
本分野の技術者にとって明確なのは、本発明の全体精神や構想から離れないことを前提に、上記の実施例に各種な変形があり、それらの変形が全部本発明の保護範囲にある。本発明の保護方案は添付した特許請求の範囲を基準とすべきである。
【図１】
2019181912.tif 000003
【図２】
2019181912.tif 000004
【図３】
2019181912.tif 000005
【手続補正書】
【提出日】平成30年9月8日(2018.9.8)
【手続補正１】
【補正対象書類名】特許請求の範囲
【補正対象項目名】全文
【補正方法】変更
【補正の内容】
【特許請求の範囲】
【請求項１】
改善型のプリンター又はコピー設備であって、主台体と前記主台体の底部に固定的に設置される腕木を含み、前記主台体に容溝が設置され、前記容溝の内頂壁に第一キャビティが設置され、前記第一キャビティの左側の前記主台体に第一滑り接続筐体が設置され、前記容溝の内底壁に第一案内接続溝が設置され、前記第一案内接続溝に第一案内接続ブロックが摺動可能なように係合して接続され、前記第一案内接続ブロックに左右に伸びて設置される第一ねじ接続レバーがねじで係合し接続され、前記主台体の右側端面に前記容溝に挿し込む持上箱が摺動可能なように係合して接続され、前記持上箱の底部の左側縁部に近づく所が前記第一案内接続ブロックの底部端面と固定的に係合し接続し、前記容溝の左側内壁に第二案内接続溝が設置され、前記第二案内接続溝の左側内壁に上に伸びて設置される第二滑り接続筐体が設置され、前記第二滑り接続筐体の頂部延長末端が前記第一滑り接続筐体の底部端と連結するように設置し、前記第二案内接続溝に第二案内接続ブロックが摺動可能なように係合して接続され、前記第二案内接続ブロックの右側末端に前記容溝に挿し込む斜辺ブロックが固定的に設置され、前記第二案内接続ブロックに上下に伸びて設置される案内接続レバーが摺動可能なように係合して接続され、前記第二案内接続ブロックの上側の前記案内接続レバーの外表面に圧縮ばねが回転可能なように設置され、前記第二滑り接続筐体に第一滑り接続ブロックが摺動可能なように係合して接続され、前記第一滑り接続ブロックの右側端面の底部位置に近づく所が前記第二案内接続ブロックの左端末端と固定的に係合し接続し、前記第一滑り接続ブロックの頂部に斜辺部が固定的に設置され、前記第一滑り接続筐体に第二滑り接続ブロックが摺動可能なように係合して接続され、前記第二滑り接続ブロックの左側に位置する前記第一滑り接続筐体の中に引張スプリングが設置され、前記引張スプリングの左側末端が前記第一滑り接続筐体の左側端壁と固定係合接続され、前記引張スプリングの右側末端が前記第二滑り接続ブロックの右側末端と固定係合接続され、前記第二滑り接続ブロックの底部端面に前記斜辺部と押圧し摺動可能なように係合して接続される斜辺溝が設置され、前記第二滑り接続ブロックの右側端面に第一内スプライン柱が回転可能なように係合し接続され、前記第一内スプライン柱の左側末端に第一電気回転機械が動力が伝達可能なように接続され、前記第一電気回転機械の外表面が前記第一内スプライン柱の左側の前記第二滑り接続ブロックに固定的に設置され、前記第一滑り接続筐体と前記第一キャビティの間の部分に左右に伸びて設置される第一交換軸が回転可能なように係合し接続され、前記第一交換軸の左側末端に前記第一滑り接続筐体に挿し込む第一外スプライン柱が固定的に設置され、前記第一交換軸の右側末端に前記第一キャビティに挿し込む接固台が固定的に設置され、前記接固台の底部にドクターブレード部品が固定的に設置され、主台体の右側端面に照射装置が設置され、前記第一ねじ接続レバーの左側延長末端が第二電気回転機械と動力が伝達可能なように係合し接続され、前記第二電気回転機械の外表面は前記第一案内接続溝の左側内壁に固定的に設置され、前記第一ねじ接続レバーの右側末端が前記第一案内接続溝の右側内壁と回転可能なように係合し接続され、前記案内接続レバーの上下両側の延長末端がそれぞれ前記第二案内接続溝の上下内壁と固定的に係合し接続され、前記持上箱の左側端面に前記斜辺ブロックと押圧しスライド可能なように係合し接続される斜面筐体が設置され、前記持上箱の頂部端面に取付筐体が設置され、前記取付筐体の下側の前記持上箱に伝導筐体が設置され、前記取付筐体に保存板が摺動可能なように係合して接続され、前記保存板の底部端面に下に延びて設置される管筒が固定的に設置され、前記管筒に下に延びて設置される第二ねじ接続レバーがねじで係合し接続され、前記伝導筐体の内頂壁に第一円錐形プーリーが回転可能なように係合し接続され、前記第二ねじ接続レバーの底部延長末端が前記第一円錐形プーリーの頂部末端と動力が伝達可能なように係合し接続され、前記伝導筐体の左側の前記持上箱に左右に延びて設置される第二交換軸が回転可能なように係合し接続され、前記第二交換軸の左側末端に前記持上箱の左側端面外に伸びる第二外スプライン柱が設置され、前記第二交換軸の右側末端に前記伝導筐体に挿し込む前記第一円錐形プーリーと動力が伝達可能なように係合し接続される第二円錐形プーリーが固定的に設置され、前記第二外スプライン柱が対応する前記容溝の左側内壁に第二内スプライン柱が回転可能なように係合し接続され、前記第二内スプライン柱の左側末端が第三電気回転機械と動力が伝達可能なように係合し接続し、前記第三電気回転機械の外表面が前記第二内スプライン柱の左側の前記持上箱に固定的に設置され、前記照射装置は前記主台体の右側端面の上側に固定的に取り付けられるランプシェードを含み、前記ランプシェードの右側端面に省エネランプが設置されることを特徴とする改善型のプリンター又はコピー設備。
【手続補正２】
【補正対象書類名】明細書
【補正対象項目名】００１３
【補正方法】変更
【補正の内容】
【００１３】
図1〜3を参照し、本発明の実施例の改善型のプリンター又はコピー設備は主台体6と前記主台体6の底部に固定的に設置される腕木7を含み、前記主台体6に容溝61が設置され、前記容溝61の内頂壁に第一キャビティ62が設置され、前記第一キャビティ62の左側の前記主台体6に第一滑り接続筐体63が設置され、前記容溝61の内底壁に第一案内接続溝611が設置され、前記第一案内接続溝611に第一案内接続ブロック613が摺動可能なように係合して接続され、前記第一案内接続ブロック613に左右に伸びて設置される第一ねじ接続レバー612がねじで係合し接続され、前記主台体6の右側端面に前記容溝61に挿し込む持上箱5が摺動可能なように係合して接続され、前記持上箱5の底部の左側縁部に近づく所が前記第一案内接続ブロック613の底部端面と固定的に係合し接続し、前記容溝61の左側内壁に第二案内接続溝64が設置され、前記第二案内接続溝64の左側内壁に上に伸びて設置される第二滑り接続筐体65が設置され、前記第二滑り接続筐体65の頂部延長末端が前記第一滑り接続筐体63の底部端と連結するように設置し、前記第二案内接続溝64に第二案内接続ブロック641が摺動可能なように係合して接続され、前記第二案内接続ブロック641の右側末端に前記容溝61に挿し込む斜辺ブロック642が固定的に設置され、前記第二案内接続ブロック641に上下に伸びて設置される案内接続レバー643が摺動可能なように係合して接続され、前記第二案内接続ブロック641の上側の前記案内接続レバー643の外表面に圧縮ばね644が回転可能なように設置され、前記第二滑り接続筐体65に第一滑り接続ブロック651が摺動可能なように係合して接続され、前記第一滑り接続ブロック651の右側端面の底部位置に近づく所が前記第二案内接続ブロック641の左端末端と固定的に係合し接続し、前記第一滑り接続ブロック651の頂部に斜辺部652が固定的に設置され、前記第一滑り接続筐体63に第二滑り接続ブロック631が摺動可能なように係合して接続され、前記第二滑り接続ブロック631の左側に位置する前記第一滑り接続筐体63の中に引張スプリング633が設置され、前記引張スプリング633の左側末端が前記第一滑り接続筐体63の左側端壁と固定係合接続され、前記引張スプリング633の右側末端が前記第二滑り接続ブロック631の右側末端と固定係合接続され、前記第二滑り接続ブロック631の底部端面に前記斜辺部652と押圧し摺動可能なように係合して接続される斜辺溝632が設置され、前記第二滑り接続ブロック631の右側端面に第一内スプライン柱635が回転可能なように係合し接続され、前記第一内スプライン柱635の左側末端に第一電気回転機械634が動力が伝達可能なように接続され、前記第一電気回転機械634の外表面が前記第一内スプライン柱635の左側の前記第二滑り接続ブロック631に固定的に設置され、前記第一滑り接続筐体63と前記第一キャビティ62の間の部分に左右に伸びて設置される第一交換軸636が回転可能なように係合し接続され、前記第一交換軸636の左側末端に前記第一滑り接続筐体63に挿し込む第一外スプライン柱637が固定的に設置され、前記第一交換軸636の右側末端に前記第一キャビティ62に挿し込む接固台621が固定的に設置され、前記接固台621の底部にドクターブレード部品622が固定的に設置され、主台体6の右側端面に照射装置が設置される。
【手続補正３】
【補正対象書類名】明細書
【補正対象項目名】００１４
【補正方法】変更
【補正の内容】
【００１４】
好ましくは前記第一ねじ接続レバー612の左側延長末端が第二電気回転機械と動力が伝達可能なように係合し接続され、前記第二電気回転機械の外表面は前記第一案内接続溝611の左側内壁に固定的に設置され、前記第一ねじ接続レバー612の右側末端が前記第一案内接続溝611の右側内壁と回転可能なように係合し接続され、前記案内接続レバー643の上下両側の延長末端がそれぞれ前記第二案内接続溝64の上下内壁と固定的に係合し接続され、これにより本装置の運行安定性を高める。
【手続補正４】
【補正対象書類名】明細書
【補正対象項目名】００１７
【補正方法】変更
【補正の内容】
【００１７】
初期状態の時に、持上箱5の右側延長末端が最大程度に主台体6の右側端面の外に伸びて、この時に持上箱5の頂部端面の取付筐体51が完全に主台体6の右側端面に伸びて、同時に第一案内接続ブロック613が第一案内接続溝611の一番右側の位置に位置し、この時に第二案内接続ブロック641が圧縮ばね644の押圧力のもとで第二案内接続溝64の一番底部位置にスライドし、同時に第二案内接続ブロック641が第一滑り接続ブロック651と連動して最大程度に第二滑り接続筐体65の一番底部位置にスライドし、この時に第二案内接続ブロック641が斜辺部652と連動して第二滑り接続筐体65に完全に挿し込んで、同時に第二滑り接続ブロック631が引張スプリング633の伸張力のもとで最大程度に第一滑り接続筐体63の左側位置に移動し、この時に第二滑り接続ブロック631が第一内スプライン柱635と連動して最大程度に第一外スプライン柱637と離れる。
【手続補正５】
【補正対象書類名】明細書
【補正対象項目名】００１８
【補正方法】変更
【補正の内容】
【００１８】
使用する時に、使用する必要な紙を取付筐体51の保存板511の頂部に置いて、次に第二電気回転機械を制御し第一ねじ接続レバー612と連動して回転し、第一ねじ接続レバー612が第一案内接続ブロック613と連動して第一案内接続溝611の左側方向にスライドし、同時に第一案内接続ブロック613が持上箱5と連動して容溝61に挿し込み、第一案内接続ブロック613が第一案内接続溝611の一番左側位置にスライドする時、第一案内接続ブロック613が持上箱5と連動して完全に容溝61に挿し込み、同時に、斜辺筐体52が斜辺ブロック642と押圧しスライド可能なように係合し、同時に持上箱5の左側端の第二外スプライン柱534が第二内スプライン柱615と完全に動力が伝達可能なように係合し接続し、斜辺ブロック642が第二案内接続ブロック641と連動して圧縮ばね644の押圧力を克服し第二案内接続溝64の一番頂部位置にスライドし、同時に斜辺ブロック642が斜辺筐体52の一番頂部位置にスライドし、この時に第二案内接続ブロック641が第一滑り接続ブロック651の頂部の斜辺部652と斜辺溝632と連動して押圧し摺動可能なように係合して作業し、斜辺部652が最大程度に第二滑り接続ブロック631と連動して引張スプリング633の伸張力を克服し第一滑り接続筐体63の一番右側位置にスライドし、同時に第一内スプライン柱635と第一外スプライン柱637が完全に動力が伝達可能なように係合し接続し、第二電気回転機械が第二内スプライン柱615を制御し第二外スプライン柱534と第二交換軸533と第二円錐形プーリー532と連動して回転し、第二円錐形プーリー532が第一円錐形プーリー531と第二ねじ接続レバー513と連動して回転し、第二ねじ接続レバー513が管筒512の頂部の保存板511と連動して上下昇降スライド作業を実現し、第一電気回転機械634が第一内スプライン柱635と第一外スプライン柱637と第一交換軸636を制御し回転し、第一交換軸636が接固台621の底部のドクターブレード部品622と連動して角度調整作業を行う。
【手続補正６】
【補正対象書類名】図面
【補正対象項目名】図２
【補正方法】変更
【補正の内容】
【図２】
2019181912.tif 000006